(57)【特許請求の範囲】
【請求項１】
電動送風機を備えた本体と、
前記電動送風機の稼働により発生する吸引風で吸い込まれた塵埃を含む空気を旋回させる旋回部と、該旋回部で前記空気から遠心分離された前記塵埃を捕集する可視光が透過可能な集塵室を有する、前記本体に着脱可能な集塵ユニットと、を備え、
前記旋回部の一部は前記集塵室内に着脱可能に収容され、
前記本体は、前記集塵ユニットが前記本体に取り付けられた状態で前記集塵室と対向する位置に、前記集塵室に向かって可視光を照射する光源ユニットを有し、
前記集塵ユニットが前記本体に取り付けられた状態において、前記本体が進行する方向側である前側から見たとき、前記旋回部の中心は前記本体の中心から左あるいは右にずれた位置に配置され、
前記光源ユニットは前記本体の中心から前記旋回部の中心と反対側となる位置に配置されていることを特徴とする電気掃除機。
【請求項２】
前記集塵ユニットが前記本体に取り付けられた状態において、前記本体が進行する方向側である前側から見たとき、前記旋回部の中心は前記集塵室の中心から左あるいは右にずれた位置に配置されていて、前記光源ユニットの発光部は、前記旋回部と重ならない位置に配置されていることを特徴とする請求項１に記載の電気掃除機。
【請求項３】
前記光源ユニットの前記発光部は、前記集塵ユニットの塵埃の蓄積方向に沿って縦長に設けられていることを特徴とする請求項１あるいは請求項２何れかに記載の電気掃除機。
【請求項４】
前記集塵室は、可視光が透過可能な樹脂で形成され、前記光源ユニットの前記発光部が発光した光は、前記集塵室を透過可能であることを特徴とする請求項１〜請求項３何れか１項に記載の電気掃除機。
【請求項５】
前記本体は前記集塵ユニットの収容部を備え、
前記収容部の少なくとも前側は、可視光が透過可能な樹脂で形成され、前記光源ユニットの前記発光部が発光した可視光は、前記集塵室と前記収容部を透過して視認できることを特徴とする請求項１〜請求項４何れか１項に記載の電気掃除機。
【請求項６】
前記光源ユニットは、１つの光源と導光部材で構成され、該導光部材は可視光が透過可能な樹脂で形成されていることを特徴とする請求項１〜請求項５何れか１項に記載の電気掃除機。
【請求項７】
前記光源ユニットは、複数の光源で構成されていることを特徴とする請求項１〜請求項５何れか１項に記載の電気掃除機。
【請求項８】
前記集塵室と前記集塵ユニットの前記収容部及び前記光源ユニットの前記導光部材の全部あるいは何れか１つあるいは何れか２つは、透明度９０％以上の可視光が透過可能な樹脂で形成されていることを特徴とする請求項１〜請求項６何れか１項に記載の電気掃除機。
【請求項９】
少なくとも前記集塵室は、透明度９０％以上の可視光が透過可能な樹脂で形成されていることを特徴とする請求項１〜請求項７何れか１項に記載の電気掃除機。
【請求項１０】
前記透明度９０％以上の可視光が透過可能な樹脂は、ポリメチルペンテンであることを特徴とする請求項８あるいは請求項９何れかに記載の電気掃除機。
【請求項１１】
前記集塵ユニットは、被清掃面に対し傾斜して前記収容部に着脱可能に収容され、
前記集塵室には、前記塵埃の捕集量の上限を示す上限表示が設けられており、
前記集塵ユニットが前記本体に取り付けられた状態において、前記本体が進行する方向側である前側且つ、前記集塵ユニットの前記本体との着脱方向と直交する方向から見たとき、前記光源ユニットの前記発光部の上端は前記上限表示の高さを超えない位置に設けられていることを特徴とする請求項１〜請求項１０何れか１項に記載の電気掃除機。
【請求項１２】
前記集塵ユニットは、被清掃面に対し下方が前側にくるように傾斜して前記収容部に着脱可能に収容され、前記光源ユニットは前記集塵ユニットに沿って傾斜して設けられ、前記光源ユニットの前記発光部は斜め上方へ向けて発光するようになっていることを特徴とする請求項１〜請求項１１何れか１項に記載の電気掃除機。
【発明の詳細な説明】
【技術分野】
【０００１】
本発明は集塵ユニットを備えた電気掃除機に関する。
【背景技術】
【０００２】
従来から、被清掃面から吸引した塵埃を含んだ空気を、旋回部で塵埃と空気に遠心分離して、分離した塵埃を集塵室に捕集するサイクロン式電気掃除機があり、使用者が集塵室内に捕集した塵埃の量を外部から把握できるように、集塵室内を照らす照射部が設けられているものが知られている（例えば、特許文献１参照）。
【先行技術文献】
【特許文献】
【０００３】
【特許文献１】特開２０１１−１７７２６８号公報（第４頁、図１）
【発明の概要】
【発明が解決しようとする課題】
【０００４】
特許文献１に記載の電気掃除機は、集塵室が収容される本体の壁面中央付近に光源を有し、導光部材を用いて集塵室の内部を明るくして集塵室内を視認可能にしている。それによって、捕集した塵埃を確認できるようになる。
【０００５】
だが、特許文献１に記載の電気掃除機のような構成は、旋回部が集塵室内に設けられていない簡易的なサイクロン式電気掃除機では可能であるが、旋回部が集塵室内に設けられている本格的なサイクロン式電気掃除機では、旋回部によって照射部が一部遮られてしまい、照射部の能力が限定されることによる明るさの低下や、視認性の低下という課題があった。
【０００６】
本発明は、かかる課題を解決するために、使用者が集塵室に捕集された塵埃の量を容易に確認できる電気掃除機を提供することを目的とする。
【課題を解決するための手段】
【０００７】
課題を解決する本発明に係る電気掃除機は、電動送風機を備えた本体と、電動送風機の稼働により発生する吸引風で吸い込まれた塵埃を含む空気を旋回させる旋回部と、旋回部で空気から遠心分離された塵埃を捕集する可視光が透過可能な集塵室を有する、本体に着脱可能な集塵ユニットと、を備え、旋回部の一部は集塵室内に着脱可能に収容され、本体は、集塵ユニットが本体に取り付けられた状態で集塵室と対向する位置に、集塵室に向かって可視光を照射する光源ユニットを有し、集塵ユニットが本体に取り付けられた状態において、本体が進行する方向側である前側から見たとき、旋回部の中心は本体の中心から左あるいは右にずれた位置に配置され、光源ユニットは本体の中心から旋回部の中心と反対側となる位置に配置されているものである。
【発明の効果】
【０００８】
本発明によれば、本体は、集塵ユニットが本体に取り付けられた状態で集塵室と対向する位置に、集塵室に向かって可視光を照射する光源ユニットを有し、集塵ユニットが本体に取り付けられた状態において、本体が進行する方向側である前側から見たとき、旋回部の中心は本体の中心から左あるいは右にずれた位置に配置され、光源ユニットは本体の中心から旋回部の中心と反対側となる位置に配置されているようにしたので、光源ユニットが発する可視光が旋回部に遮られることがなく、使用者の視認性が確保できる。
【０００９】
よって、集塵室に捕集された塵埃の量を容易に確認できるので、使用者が確実に集塵室内にたまった塵埃を廃棄することができる。
【図面の簡単な説明】
【００１０】
【図１】本発明の実施の形態１に係る電気掃除機の概略構成を示す斜視図である。
【図２】本発明の実施の形態１に係る電気掃除機の本体の側面図である。
【図３】本発明の実施の形態１に係る電気掃除機の本体の中心を前後方向で切断し側面から見た断面図である。
【図４】本発明の実施の形態１に係る電気掃除機の本体を、図２に示す断面Ａ−Ａで切断した断面図である。
【図５】本発明の実施の形態１に係る電気掃除機の本体から集塵ユニットを少し引き出した状態を示す斜視図である。
【図６】（ａ）本発明の実施の形態１に係る電気掃除機の集塵ユニットを示す斜視図、（ｂ）本発明の実施の形態１に係る電気掃除機の集塵ユニットから集塵室を外した状態を示す斜視図である。
【図７】（ａ）本発明の実施の形態１に係る電気掃除機の集塵ユニットを、集塵ユニット吸込み口側を前側として前側から見た図、（ｂ）本発明の実施の形態１に係る電気掃除機の集塵ユニットを旋回部の中心を通る位置で切断して前側から見た断面図である。
【図８】（ａ）本発明の実施の形態１に係る電気掃除機の集塵ユニットを側方側から見た図、（ｂ）本発明の実施の形態１に係る電気掃除機の集塵ユニットを後側から見た図である。
【図９】本発明の実施の形態１に係る電気掃除機の本体を、前後方向且つ光源ユニットを通る箇所で切断し側面から見た断面図である。
【図１０】本発明の実施の形態１に係る電気掃除機の本体から集塵ユニットを取り外した状態で光源ユニットを見た斜視図である。
【図１１】図９の断面図の要部拡大図である。
【図１２】本発明の実施の形態１に係る電気掃除機の本体を、本体が進行する方向側である前側の矢印Ｃ方向から見た図である。
【図１３】図２に示す断面Ｂ−Ｂで切断した面を、矢印Ｃ方向から見た断面図である。
【図１４】（ａ）本発明の実施の形態１に係る電気掃除機の本体を、本体が進行する方向側である前側の矢印Ｃ方向から見て、塵埃が集塵室の半分程度蓄積した状態の発光部を表す概略図、（ｂ）本発明の実施の形態１に係る電気掃除機の本体を、本体が進行する方向側である前側の矢印Ｃ方向から見て、塵埃が上限まで蓄積した状態の発光部を表す概略図である。
【発明を実施するための形態】
【００１１】
実施の形態１．
（電気掃除機の構成）
図１は本発明の実施の形態１に係る電気掃除機の概略構成を示す斜視図、図２は本発明の実施の形態１に係る電気掃除機の本体の側面図、図３は本発明の実施の形態１に係る電気掃除機の本体の中心を前後方向で切断し側面から見た断面図、図４は本発明の実施の形態１に係る電気掃除機の本体を、図２に示す断面Ａ−Ａで切断した断面図、図５は本発明の実施の形態１に係る電気掃除機の本体から集塵ユニットを少し引き出した状態を示す斜視図である。
以下、図１から図５により本発明の実施の形態１に係る電気掃除機の構成について説明する。
なお、それぞれの図において、同じ部分または相当する部分には同じ符号を付し、一部の説明を省略することがある。
【００１２】
図１に示すように、１００は本発明の実施の形態1に係る電気掃除機であり、吸込具１と延長管２と操作部４を備える把持部３とホース５から成るホース体と、電機掃除機本体６と集塵ユニット８で構成される。
【００１３】
吸込具１は、外郭を射出成形で形成された硬質の樹脂部品で構成し、後述する電動送風機２３の稼働により発生する吸引風により、例えば床面である被清掃面にある塵埃を空気と一緒に吸引するものである。
【００１４】
延長管２も吸込具１と同様、外郭を射出成形で形成された硬質の樹脂部品で構成しており、図示しない伸縮構造を有し、一端が吸込具１と接続され、他端が把持部３と接続されて吸引風の風路の一部を構成している。
【００１５】
把持部３も、外郭を射出成形で形成された硬質の樹脂部品で構成しているが、使用者が握りやすくするため、使用者が握る箇所の一部に軟質の樹脂部品を使用してもよい。把持部３の使用者が握る箇所ではない位置に、後述する電動送風機２３の稼働をオン、オフする入力スイッチ４ａを備えた操作部４が設けられている。
【００１６】
把持部３の一部も、吸引風の風路の一部を構成しており、延長管２が接続されている側の他端がホース５と接続される。ホース５は、中空で蛇腹のような可撓性を有する軟質樹脂部品で構成されている。
【００１７】
電機掃除機本体６の外郭は射出成形で形成された樹脂部品で構成されている。電機掃除機本体６には、電機掃除機本体６を持ち運ぶときに使用されるハンドル９が設けられている。ハンドル９も射出成形で形成された樹脂部品で形成されている。
【００１８】
また、電機掃除機本体６には、集塵ユニット８を収容する集塵ユニット収容部６ａが設けられている。集塵ユニット収容部６ａは、可視光が透過可能な透明あるいは半透明の樹脂で形成されている。使用される樹脂としては、密度(比重)が０．９ｇ／ｃｍ３未満で透明度９０％以上のポリメチルペンテン（ＰＭＰ）や密度(比重)が１．０８ｇ／ｃｍ３程度で透明度８５％程度の透明ＡＢＳが考えられる。
【００１９】
集塵ユニット収容部６ａは、側面方向から見た箇所も透明あるいは半透明の樹脂で形成されているが、前側から見える箇所だけを透明あるいは半透明の樹脂で形成するようにしてもよい。
【００２０】
また、透明樹脂の表面に蒸着加工等を施し、可視光が透過可能なハーフミラー状になるように処理してもよい。但し、蒸着加工するときは、樹脂と表面に形成される薄膜との相性の関係から、ポリメチルペンテン（ＰＭＰ）ではなく透明ＡＢＳを使用する方がよい場合もある。
【００２１】
集塵ユニット収容部６ａには接続部７が設けられ、一端が把持部３と接続されているホース５の他端に設けられたホース挿入部５ａを接続部７に挿入することで、ホース体が電機掃除機本体６に接続される。
【００２２】
使用者が清掃するときに、電機掃除機本体６を被清掃面（床面）上で取り回しやすくするため、電機掃除機本体６の下面には進行方向を変えることができるキャスタータイプの前輪１０を、電機掃除機本体６の両側面には口径の大きい後輪１１を備えている。
【００２３】
図２に示すように、集塵ユニット８は集塵ユニット収容部６ａに被清掃面（床面）に対して傾斜して収容、取り付けられている。集塵ユニット８は、集塵ユニット８側に設けられた図示しない係止部が、電機掃除機本体６側に設けられた図示しない係合部に係止して固定される。係止部は図示しない付勢手段により係止するように付勢されている。
【００２４】
集塵ユニット８は、集塵ユニット８の上部に設けられた係止解除ボタン３８を操作することで、集塵ユニット８側に設けられた図示しない係止部が、電機掃除機本体６側に設けられた図示しない係合部から外れ、取り外し可能な状態となる。
【００２５】
その状態から、集塵ユニット８に設けられた手掛け（指掛け）部８ａに手（指）を掛けて、図２に示す矢印Ｄの方向へ引き出すと、図５に示すように集塵ユニット８は集塵ユニット収容部６ａから取り外される。なお、集塵ユニット８の構成については、後段で詳しく説明する。
【００２６】
図３、図４に示すように電機掃除機本体６内の後方寄りに電動送風機２３が設けられている。電動送風機２３は、前述のように、吸込具１から塵埃を含んだ空気を吸引するための吸引風を発生させるものである。
【００２７】
また、電機掃除機本体６内の後方寄りで、電動送風機２３の側方には制御基板２４が設けられている。制御基板２４は、操作部４に設けられた入力スイッチ４ａの操作により、電動送風機２３の動作を制御するものである。
【００２８】
電動送風機２３を挟み、制御基板２４の反対側に電源コード２１を巻き取り保持するコードリール２２が設けられている。電源コード２１は、図２に示す電源プラグ１２を持って引き出すことにより本体外へ引き出される。
【００２９】
コードリール２２は巻き取り方向に図示しない付勢手段で付勢されているが、図示しないクラッチ機構を有しており電源コード２１は引き出された位置で止まるようになっている。引き出された電源コード２１は、図２に示す電源コード巻き取りボタン１３を操作することによりコードリール２２のクラッチ機構が解除され、コードリール２２の巻き取り方向の付勢力により巻き取られ保持される。
【００３０】
（集塵ユニットの構成）
図６（ａ）は本発明の実施の形態１に係る電気掃除機の集塵ユニットを示す斜視図、図６（ｂ）は本発明の実施の形態１に係る電気掃除機の集塵ユニットから集塵室を外した状態を示す斜視図、図７（ａ）は本発明の実施の形態１に係る電気掃除機の集塵ユニットを、集塵ユニット吸込み口側を前側として前側から見た図、図７（ｂ）本発明の実施の形態１に係る電気掃除機の集塵ユニットを旋回部の中心を通る位置で切断して前側から見た断面図、図８（ａ）は本発明の実施の形態１に係る電気掃除機の集塵ユニットを側方側から見た図、図８（ｂ）は本発明の実施の形態１に係る電気掃除機の集塵ユニットを後側から見た図である。
以下、図６から図８により本発明の実施の形態１に係る電気掃除機の集塵ユニットの構成について詳しく説明する。
なお、それぞれの図において、同じ部分または相当する部分には同じ符号を付し、一部の説明を省略することがある。
【００３１】
図６から図８に示すように、集塵ユニット８は、蓋部８ｃを備えた分離可能な旋回部３３と集塵ユニット上部８ｂと集塵室３２で構成されたサイクロン式の集塵ユニットである。集塵ユニット８の蓋部８ｃにはシールパッキン４０が取り付けされていて、このシールパッキン４０を集塵室３２の開口上部に挿入することで集塵室３２が閉塞される。
【００３２】
この状態で蓋部８ｃは、集塵室３２に設けられている係止部３２ａにより係止され固定される。係止部３２ａはレバー形状で、図示しない回動軸で軸止され、図示しない係止方向に付勢する付勢手段で係止方向に回動して蓋部８ｃに掛かり、集塵ユニット上部８ｂと集塵室３２が固定される。付勢手段に抗して係止部３２ａを回動させると係止状態が解除され、集塵ユニット上部８ｂが集塵室３２から取り外せるようになる。
【００３３】
集塵ユニット上部８ｂには、図３及び図５に示す接続部７の連通口７ａと連通し空気が通気可能となる集塵ユニット吸込み口３１が設けられ、その裏、後側には図３に示す本体吸込み口２５と連通し空気が通気可能となる集塵ユニット排出口３７が設けられている。
【００３４】
旋回部の外壁には、空気と一緒に吸引され、旋回部３３で分離された塵埃を集塵室３２内に排出するための塵埃排出口ａ３４が設けられている。塵埃排出口ａ３４から比較的大きい塵埃が排出され、塵埃排出口ａ３４から排出されなかった小さめの細かい塵埃は、旋回部３３の逆円錐状となっている下端に設けられている塵埃排出口ｂ３５から集塵室３２内に排出される。
【００３５】
旋回部３３の上部の中心には、複数の小孔３６ａが設けられた排気筒３６が備えられている。塵埃が分離された空気は、複数の小孔３６ａを通過し集塵ユニット排出口３７から電機掃除機本体６側に吸引される。
【００３６】
ここで、図１及び図３を使い空気の流れ、動作を詳しく説明すると、把持部３に設けられた操作部４の入力スイッチ４ａをオンすると、電動送風機２３が稼働し吸引風を発生させる。
【００３７】
その吸引風により、被清掃面（床面）にある塵埃を空気と一緒に吸込具１で吸引すると、塵埃を含んだ空気が延長管２、把持部３の一部、ホース５を経由して通口７ａと連通した集塵ユニット吸込み口３１から集塵ユニット８内に吸引される。
【００３８】
集塵ユニット８内に吸引された塵埃を含んだ空気は、旋回部３３で塵埃を遠心分離しながら上方から下方へ旋回して下りていく。その過程で塵埃排出口ａ３４から比較的大きい塵埃を集塵室３２内に排出し、さらに旋回部３３の逆円錐状となっている下端に向けて旋回して、小さめの細かい塵埃を塵埃排出口ｂ３５から集塵室３２内に排出する。
【００３９】
塵埃が分離された空気は旋回部内を上昇し、排気筒３６に設けられた複数の小孔３６ａを通過し集塵ユニット排出口３７から本体吸込み口２５に吸引され、電機掃除機本体６側に入る。
【００４０】
電機掃除機本体６内に吸引された空気は、集塵ユニット８で分離しきれなかった微細な塵埃を含んでいる可能性があるので、微細な塵埃で電動送風機２３が不具合を起こさないよう、電動送風機２３に吸引される前に吸気側フィルター２６を通過させ微細な塵埃を捕集する。吸気側フィルター２６はＨＥＰＡフィルターという、塵埃捕集効率の高いフィルターで構成されている。
【００４１】
吸気側フィルター２６を通過し電動送風機２３に吸引された後、電動送風機２３から排出された空気は、電機掃除機本体６外へ排出される前に、さらに排気側フィルター２７を通過する。
【００４２】
排気側フィルター２７はＵＬＰＡフィルターという、ＨＥＰＡフィルターよりも塵埃捕集効率が高いフィルターで構成されている。これは電機掃除機本体６外へ排出される空気をよりきれいにするためのものである。
【００４３】
排気側フィルター２７を通過した空気は、電機掃除機本体６の底面付近等を通過して本体排気口２８から電機掃除機本体６外へ排出される。
【００４４】
ここから、集塵ユニット８の説明に戻る。集塵ユニット吸込み口３１は、集塵ユニット８の左右方向のほぼ中央に設けられている。集塵ユニット８は、塵埃を含んだ空気を旋回させて塵埃と空気を遠心分離するサイクロン式の集塵ユニットであるので、旋回性能を最大限発揮させるため、集塵ユニット吸込み口３１の内壁の一部と旋回部３３の内壁の一部が接線となるように配置されている。
【００４５】
そのため、旋回部３３の中心は、前側（集塵ユニット吸込み口３１側）から見ると左側にずれている。なお、旋回部３３の旋回方向を反時計回りにする場合は、左側にずれるが、旋回部３３の旋回方向を時計回りにする場合は、右側にずれることになる。旋回方向は何れでも設定可能であるので、それにより旋回部３３の中心は左右どちらかにずれて設定される。
【００４６】
旋回部３３は、その一部が集塵室３２内に収容されるが、旋回部３３の中心が左側にずれているので、集塵室３２内の右側に空間３２ｂができる。この空間３２ｂに、主に塵埃が捕集される。
【００４７】
集塵室３２は射出成形で形成された樹脂部品で有り底のカップ状であり、捕集された塵埃を視認可能にするため、可視光が透過可能な透明あるいは半透明の樹脂で形成されている。
【００４８】
使用される樹脂としては、ポリメチルペンテン（ＰＭＰ）や透明ＡＢＳが考えられるが、集塵室３２は塵埃の廃棄等で使用者が持って作業することが多いため、取り扱いやすさを考慮すると、透明度が９０％以上と高く、密度(比重)が０．９ｇ／ｃｍ３未満と軽いポリメチルペンテン（ＰＭＰ）が好適である。
【００４９】
集塵室３２の前側には、塵埃を排気する目安となる塵埃廃棄目安表示（塵埃捕集量の上限表示）３９が設けられている。
【００５０】
集塵室３２及び集塵ユニット収容部６ａは、捕集された塵埃が視認できるよう、前述のように可視光が透過可能な樹脂で形成されているが、電気掃除機１００を使用しているときは、集塵室３２及び集塵ユニット収容部６ａは被清掃面（床面）近くの低い位置にある。
【００５１】
そのため、電気掃除機１００を使用しているときは、捕集された塵埃の視認性があまりよくない。そこで捕集された塵埃の視認性を高くするために、集塵室３２に向かって可視光を照射する光源ユニット４１を電機掃除機本体６に設けている。
【００５２】
（光源ユニットについて）
ここから、光源ユニット４１の構成、配置等を図９から図１３により説明する。図９は本発明の実施の形態１に係る電気掃除機の本体を、前後方向且つ光源ユニットを通る箇所で切断し側面から見た断面図、図１０は本発明の実施の形態１に係る電気掃除機の本体から集塵ユニットを取り外した状態で光源ユニットを見た斜視図、図１１は図９の断面図の要部拡大図、図１２は本発明の実施の形態１に係る電気掃除機の本体を、本体が進行する方向側である前側の矢印Ｃ方向から見た図、図１３は図２に示す断面Ｂ−Ｂで切断した面を、矢印Ｃ方向から見た断面図である。
【００５３】
図９から図１１に示すように、光源ユニット４１は集塵ユニット８の後側の電機掃除機本体６に配置されている。光源ユニット４１は、図１１に示すように１つの光源４２と導光部材４３で構成される。
【００５４】
なお、光源４２は基板に実装されたＬＥＤであるが、ＬＥＤに限定されるものではなく、他の発光体を使用してもよい。また、この実施の形態では光源ユニット４１は、１つの光源４２と導光部材４３で構成したものとして説明したが、これに限定されるものではなく、導光部材４３の代わりに導光部材４３の長さに相当する複数の光源を並べて構成するようにしても同様の発光性能を確保できる。
【００５５】
光源ユニット４１の光源４２は、使用者が視認しやすいようにコンセントに電源プラグ１２を挿した時点から点灯、発光するようになっている。但し、必ずコンセントに電源プラグ１２を挿した時点から点灯、発光させなければならない訳ではなく、電動送風機２３の稼働に合わせて点灯、発光させてもよい。
【００５６】
導光部材４３は射出成形で形成された樹脂部品である。光を導くため可視光が透過可能な透明あるいは半透明の樹脂で、例えば発光させたい側の反対側にメッキ等で反射膜を設け発光させる。使用される樹脂としては、ポリメチルペンテン（ＰＭＰ）や透明ＡＢＳ等が考えられる。導光部材４３は、図１０に示すように集塵ユニット収容部６ａ内の後側の壁面に露出している。
【００５７】
図１１に示すように、導光部材４３の屈曲点が発光部起点４３ａ（発光部の上端）であり、その点から下方が発光部４３ｂとなる。発光部起点４３ａは、発光部起点４３ａを旋回部の中心を通る線と直交する矢印Ｅの方向から見たとき、集塵室３２に設けられた塵埃廃棄目安表示（塵埃捕集量の上限表示）３９の上端とほほ同じ位置、言い換えると塵埃廃棄目安表示（塵埃捕集量の上限表示）３９の上端を超えない位置になるように設けられている。
【００５８】
また、光源ユニット４１は図１３に示すように、電機掃除機本体６の中心を挟んで旋回部３３の中心と反対側の空間３２ｂの後方になるように設けられている。これは、旋回部３３が左にずれているので、旋回部３３と光源ユニット４１の発光部４３ｂが重ならないようにするためである。
【００５９】
当然ながら旋回部３３が電機掃除機本体６の中心から右にずれていれば、空間３２ｂは電機掃除機本体６の中心の左側にできるので、発光部４３ｂも電機掃除機本体６の中心の左側に設けられる。
【００６０】
さらに、前述したように空間３２ｂに主に塵埃が捕集される。光源ユニット４１は集塵室３２の主に塵埃が捕集される空間３２ｂに向けて可視光を照射するように配置されている。これにより、集塵室３２に捕集された塵埃へ確実に可視光を照射することができ、塵埃の状況を把握しやすくなる。
【００６１】
それから、図９に示すように、集塵ユニット８は集塵ユニット収容部６ａに下方が前側にくるように傾斜して収容されている。光源ユニット４１は、その傾斜に沿って設けられているので、発光部４３ｂは前側の斜め上方へ向けて発光することになる。
【００６２】
集塵ユニット８の集塵室３２は被清掃面（床面）近くの低い位置で、集塵ユニット収容部６ａに収容されているので、集塵ユニット８が傾斜していて、発光部４３ｂが前側の斜め上方へ向けて発光することで、使用者は清掃中の立っている状態からでも発光が視認できて塵埃の状況を把握しやすくなっている。
【００６３】
発光部４３ｂは、塵埃が捕集されていない状態では、図１２に示すように発光部起点４３ａから下方全域が集塵室３２及び集塵ユニット収容部６ａを透過して発光している。
【００６４】
塵埃が捕集され集塵室３２に蓄積されていくと、蓄積された塵埃が遮蔽物となり発光部４３ｂが下方から上方に向かって徐々に隠れていく。例えば図１４（ａ）に示すように塵埃が集塵室３２の半分程度蓄積した状態では、蓄積された塵埃により発光部４３ｂが半分程度隠れる。
【００６５】
よって、塵埃の蓄積状況を使用者が容易に把握できるようになる。このように、発光部４３ｂの隠れ具合で塵埃の蓄積状況を把握するため、発光部４３ｂは塵埃の蓄積方向に沿って縦長に設けられている。
【００６６】
さらに、発光部起点４３ａを塵埃廃棄目安表示（塵埃捕集量の上限表示）３９の上端を超えない位置になるように設けることで、図１１に示すように塵埃を塵埃捕集量の上限まで捕集すると、図１４（ｂ）に示すように蓄積された塵埃により発光部４３ｂの全域が隠れることから、使用者が塵埃の廃棄時期がきたことを容易に確認でき、塵埃の廃棄を的確に行うことができる。
【００６７】
それから、図９及び図１１に示すように矢印Ｅの方向から見たとき、塵埃廃棄目安表示（塵埃捕集量の上限表示）３９の上端と、塵埃排出口ａ３４の下端がほぼ同じ高さとなっている。これは、捕集、蓄積された塵埃によって塵埃排出口ａ３４が塞がれることがないようにするためである。
【００６８】
以上のように、サイクロン式集塵ユニットの旋回部を電機掃除機本体の中心からずらし、その電機掃除機本体の中心からずらした反対側に光源ユニットを設けるようにしたので、使用者が電機掃除機本体の前側から見たときに、光源ユニットの発光部が旋回部に遮られることなく塵埃が捕集された集塵室を照射して塵埃の捕集状況を把握、確認できるため、視認性が高い。
【００６９】
また、集塵ユニットが傾斜して収容されて、発光部が前側の斜め上方へ向けて発光するようになっているので、使用者は清掃中の立っている状態からでも発光が視認でき塵埃の捕集状況を把握、確認しやすい。
【００７０】
さらに、発光部の上端を塵埃廃棄目安表示の上端を超えない位置になるように設けるようにしたので、塵埃を塵埃捕集量の上限まで捕集すると蓄積された塵埃により発光部が隠れることから、使用者が塵埃の廃棄時期がきたことを容易に確認でき、的確に塵埃の廃棄を行うことが可能となる。
【符号の説明】
【００７１】
１  吸込具、２  延長管、３  把持部、４  操作部、４ａ  入力スイッチ、５  ホース、５ａ  ホース挿入部、６  電気掃除機本体、６ａ  集塵ユニット収容部、７  接続部、７ａ  連通口、８  集塵ユニット、８ａ  手掛け（指掛け）部、８ｂ  集塵ユニット上部、８ｃ  蓋部、９  ハンドル、１０  前輪、１１  後輪、１２  電源プラグ、１３  電源コード巻き取りボタン、２１  電源コード、２２  コードリール、２３  電動送風機、２４  制御基板、２５  本体吸込み口、２６  吸気側フィルター、２７  排気側フィルター、２８  本体排気口、３１  集塵ユニット吸込み口、３２  集塵室、３２ａ  係止部、３２ｂ  空間、３３  旋回部、３４  塵埃排出口ａ、３５  塵埃排出口ｂ、３６  排気筒、３６ａ  小孔、３７  集塵ユニット排出口、３８  係止解除ボタン、３９  塵埃廃棄目安表示（塵埃捕集量の上限表示）、４０  シールパッキン、４１  光源ユニット、４２  光源（ＬＥＤ）、４３  導光部材、４３ａ  発光部起点（発光部の上端）、４３ｂ  発光部、１００  電気掃除機。
【図１】
0006358136.tif 000002
【図２】
0006358136.tif 000003
【図３】
0006358136.tif 000004
【図４】
0006358136.tif 000005
【図５】
0006358136.tif 000006
【図６】
0006358136.tif 000007
【図７】
0006358136.tif 000008
【図８】
0006358136.tif 000009
【図９】
0006358136.tif 000010
【図１０】
0006358136.tif 000011
【図１１】
0006358136.tif 000012
【図１２】
0006358136.tif 000013
【図１３】
0006358136.tif 000014
【図１４】
0006358136.tif 000015